(57)【要約】      （修正有）【課題】蓋体と持手体との離脱を防ぐことができ、組み付け構造を簡素化することができるクーラーボックスを提供する。【解決手段】蓋体３の中央部上面に埋入凹部３ｃを形成し、埋入凹部を形成する蓋体の突出部分Ｋの両側壁部に一対の軸受板３ｄを突出形成し、各軸受板に軸受穴を形成すると共に持手体５に軸受穴に嵌挿可能な一対の軸部を突出形成し、軸部の軸受穴より突出する部分に持手体の起立位置における持上方向に突出する係止部を形成すると共に軸受穴を持手体の起立位置において係止部の嵌脱を許容する持上方向に延びる長穴状に形成してなる。【選択図】図１
0003167726.tif 000002
【実用新案登録請求の範囲】
【請求項１】
上開口部を備えた断熱構造の容器体と、該容器体の上開口部を開閉可能な断熱構造の蓋体と、該蓋体を該容器体に開閉自在に被嵌させる開閉機構と、該蓋体の上面に設けられ、起倒機構により水平位置と起立位置との間で起倒自在な持手体とからなり、上記起倒機構として、上記蓋体の中央部上面に平面コ状の持手体を埋入可能な平面コ状の埋入凹部を形成し、該平面コ状の埋入凹部を形成する蓋体の突出部分の両側壁部に一対の軸受板を突出形成し、該各軸受板に軸受穴を形成すると共に該持手体に該軸受穴に嵌挿可能な一対の軸部を突出形成し、該軸部の該軸受穴より突出する部分に該持手体の起立位置における持上方向に突出する係止部を形成すると共に該軸受穴を該持手体の起立位置において該係止部の嵌脱を許容する持上方向に延びる長穴状に形成してなることを特徴とするクーラーボックス。
【請求項２】
上記持手体は横断面コ形状に形成されていることを特徴とする請求項１記載のクーラーボックス。
【考案の詳細な説明】
【技術分野】
【０００１】
本考案は、例えば、スーパーマーケット、コンビニエンスストアーで購入した食料品や日用品等の商品を自宅に持ち帰る際やハイキング用、レジャー用等に用いられるクーラーボックスに関するものである。
【背景技術】
【０００２】
従来、この種のクーラーボックスとして、例えば、上開口部を備えた断熱構造の容器体と、該容器体の上開口部を開閉可能な断熱構造の蓋体と、該蓋体を該容器体に開閉自在に被嵌させる開閉機構と、該蓋体の上面に設けられ、起倒機構により水平位置と起立位置との間で起倒自在な持手体とからなる構造のものが知られている。
【先行技術文献】
【特許文献】
【０００３】
【特許文献１】特許第４５６５４０６号公報
【特許文献２】特許第２８８０１０７号公報
【考案の概要】
【考案が解決しようとする課題】
【０００４】
しかしながら、上記蓋体と上記持手体との組み付けが面倒であったり、構造が複雑化し易いことがあるという不都合を有している。
【課題を解決するための手段】
【０００５】
本考案はこれらの不都合を解決することを目的とするもので、本考案のうちで、請求項１記載の考案は、上開口部を備えた断熱構造の容器体と、該容器体の上開口部を開閉可能な断熱構造の蓋体と、該蓋体を該容器体に開閉自在に被嵌させる開閉機構と、該蓋体の上面に設けられ、起倒機構により水平位置と起立位置との間で起倒自在な持手体とからなり、上記起倒機構として、上記蓋体の中央部上面に平面コ状の持手体を埋入可能な平面コ状の埋入凹部を形成し、該平面コ状の埋入凹部を形成する蓋体の突出部分の両側壁部に一対の軸受板を突出形成し、該各軸受板に軸受穴を形成すると共に該持手体に該軸受穴に嵌挿可能な一対の軸部を突出形成し、該軸部の該軸受穴より突出する部分に該持手体の起立位置における持上方向に突出する係止部を形成すると共に該軸受穴を該持手体の起立位置において該係止部の嵌脱を許容する持上方向に延びる長穴状に形成してなることを特徴とするクーラーボックスにある。
【０００６】
又、請求項２記載の考案は、上記持手体は横断面コ形状に形成されていることを特徴とするものである。
【考案の効果】
【０００７】
本考案は上述の如く、請求項１記載の考案にあっては、上開口部を備えた断熱構造の容器体と、容器体の上開口部を開閉可能な断熱構造の蓋体と、蓋体を容器体に開閉自在に被嵌させる開閉機構と、蓋体の上面に設けられ、起倒機構により水平位置と起立位置との間で起倒自在な持手体とからなり、上記起倒機構として、上記蓋体の中央部上面に平面コ状の持手体を埋入可能な平面コ状の埋入凹部を形成し、平面コ状の埋入凹部を形成する蓋体の突出部分の両側壁部に一対の軸受板を突出形成し、各軸受板に軸受穴を形成すると共に持手体に軸受穴に嵌挿可能な一対の軸部を突出形成し、軸部の軸受穴より突出する部分に持手体の起立位置における持上方向に突出する係止部を形成すると共に軸受穴を持手体の起立位置において係止部の嵌脱を許容する持上方向に延びる長穴状に形成してなるから、軸部を軸受穴に嵌挿して持手体を蓋体に組み付けるに際し、平面コ状の持手体の開放両端部をそれぞれ外方に向けて拡張させることにより、持手体の起立位置において係止部を有する軸部を軸受穴に嵌挿することができ、かつ、持手体を上方である持上方向に持ち上げると、係止部は軸受穴の周縁部に係止して軸受穴からの軸部の抜け外れを防ぐことができ、更に、持手体の水平位置においても、係止部は軸受穴の周縁部に係止して軸受穴からの軸部の抜け外れを防ぐことができ、それだけ、上記蓋体と上記持手体との組み付けを容易に行うことができると共に係止部及び長穴状の軸受穴の存在により上記蓋体と上記持手体との離脱を防ぐことができ、組み付け構造を簡素化することができる。
【０００８】
又、請求項２記載の考案にあっては、上記持手体は横断面コ形状に形成されているから、製作を容易に行うことができると共に持手体を持つ使用者の手に与える感触を和らげることができ、使用の快適性を高めることができる。
【図面の簡単な説明】
【０００９】
【図１】本考案の実施の形態例の全体斜視図である。
【図２】本考案の実施の形態例の全体平面図である。
【図３】本考案の実施の形態例の全体断面図である。
【図４】本考案の実施の形態例の部分斜視図である。
【図５】本考案の実施の形態例の部分断面図である。
【図６】本考案の実施の形態例の部分側断面図である。
【図７】本考案の実施の形態例の部分拡大断面図である。
【図８】本考案の実施の形態例の部分拡大側断面図である。
【図９】本考案の実施の形態例の部分拡大平面図である。
【図１０】本考案の実施の形態例の部分拡大断面図である。
【図１１】本考案の実施の形態例の部分拡大側断面図である。
【考案を実施するための形態】
【００１０】
図１乃至図１１は本考案の実施の形態例を示し、１は容器体であって、この場合、図１の如く、合成樹脂製の外容器体１ａ及び合成樹脂製の内容器体１ｂを発泡品からなる断熱材Ｄを内蔵して組み立てられ、上部に上開口部２を備えた断熱構造に形成されている。
【００１１】
３は蓋体であって、この場合、図３の如く、合成樹脂製の外蓋体３ａ及び合成樹脂製の内蓋体３ｂを発泡品からなる断熱材Ｄを内蔵して組み立てられ、内蓋体３ｂにパッキン材４を配置し、容器体１の上開口部２を開閉可能な大きさにして断熱構造に形成され、蓋体３の外蓋体３ａの上面中央部に平面コ状にして横断面コ形状に形成された持手体５を起倒機構６により水平位置Ｈから起立位置Ｖとの間で起立倒伏自在に設けて構成している。
【００１２】
この場合、上記起倒機構６として、図４、図５の如く、上記外蓋体３ａの中央部上面に平面コ状の持手体５を埋入可能な平面コ状の埋入凹部３ｃを形成し、平面コ状の埋入凹部３ｃを形成する蓋体３の外蓋体３ａの突出部分Ｋの両側壁部に一対の軸受板３ｄ・３ｄを突出形成し、各軸受板３ｄ・３ｄに軸受穴３ｅ・３ｅを形成すると共に平面コ状の持手体５の開放両端部に軸受穴３ｅ・３ｅに嵌挿可能な一対の軸部５ａ・５ａを突出形成し、軸部５ａ・５ａの軸受穴３ｅ・３ｅより突出する部分に持手体５の起立位置Ｖにおける持上方向Ｔに突出する係止部５ｂ・５ｂを形成すると共に軸受穴３ｅを持手体５の起立位置Ｖにおいて係止部５ｂ・５ｂの嵌脱を許容する持上方向Ｔに延びる長穴状に形成している。
【００１３】
この場合、図１、図２の如く、上記蓋体３を容器体１に開閉自在に被嵌させる開閉機構７として、容器体１及び蓋体３のそれぞれの一方辺縁部間をヒンジ部８ａ・８ａからなるヒンジ機構８・８によりヒンジ結合すると共に容器体１及び蓋体３のそれぞれの他方辺縁部間に相互に嵌脱自在なバックル９ａ・９ａ及び係止部９ｂ・９ｂからなる尾錠機構９を配設し、バックル９ａ・９ａは容器体１に枢着され、係止部９ｂ・９ｂは容器体１に形成され、尾錠機構９・９のバックル９ａ・９ａを係止部９ｂ・９ｂから離脱させることによりヒンジ部８ａ・８ａにより蓋体３は上向き開口動作可能となり、又、ヒンジ部８ａ・８ａにより蓋体３を閉口動作して尾錠機構９・９のバックル９ａ・９ａを係止部９ｂ・９ｂに嵌合係止させることにより蓋体３により容器体１を閉止するように構成している。
【００１４】
この実施の形態例は上記構成であるから、図４の如く、上開口部２を備えた断熱構造の容器体１と、容器体１の上開口部２を開閉可能な断熱構造の蓋体３と、蓋体３を容器体１に開閉自在に被嵌させる開閉機構７と、蓋体３の上面に設けられ、起倒機構６により水平位置Ｈと起立位置Ｖとの間で起倒自在な持手体５とからなり、上記起倒機構６として、上記蓋体３の中央部上面に平面コ状の持手体５を埋入可能な平面コ状の埋入凹部３ｃを形成し、平面コ状の埋入凹部３ｃを形成する蓋体３の突出部分Ｋの両側壁部に一対の軸受板３ｄ・３ｄを突出形成し、各軸受板３ｄ・３ｄに軸受穴３ｅ・３ｅを形成すると共に持手体５に軸受穴３ｅ・３ｅに嵌挿可能な一対の軸部５ａ・５ａを突出形成し、軸部５ａ・５ａの軸受穴３ｅ・３ｅより突出する部分に持手体５の起立位置Ｖにおける持上方向Ｔに突出する係止部５ｂ・５ｂを形成すると共に軸受穴３ｅ・３ｅを持手体５の起立位置Ｖにおいて係止部５ｂの嵌脱を許容する持上方向Ｔに延びる長穴状に形成してなるから、軸部５ａ・５ａを軸受穴３ｅ・３ｅに嵌挿して持手体５を蓋体３に組み付けるに際し、平面コ状の持手体５の開放両端部をそれぞれ外方に向けて拡張させることにより、図５の如く、持手体５の起立位置Ｖにおいて係止部５ｂ・５ｂを有する軸部５ａ・５ａを軸受穴３ｅ・３ｅに嵌挿することができ、かつ、図７、図８の如く、持手体５を上方である持上方向Ｔに持ち上げると、係止部５ｂ・５ｂは軸受穴３ｅ・３ｅの周縁部に係止して軸受穴３ｅ・３ｅからの軸部５ａ・５ａの抜け外れを防ぐことができ、更に、図９、図１０、図１１の如く、持手体５の水平位置Ｈにおいても、係止部５ｂ・５ｂは軸受穴３ｅ・３ｅの周縁部に係止して軸受穴３ｅ・３ｅからの軸部５ａ・５ａの抜け外れを防ぐことができ、それだけ、上記蓋体３と上記持手体５との組み付けを容易に行うことができると共に係止部５ｂ・５ｂ及び長穴状の軸受穴３ｅ・３ｅの存在により上記蓋体３と上記持手体５との離脱を防ぐことができ、組み付け構造を簡素化することができる。
【００１５】
この場合、上記持手体５は横断面コ形状に形成されているから、製作を容易に行うことができると共に持手体５を持つ使用者の手に与える感触を和らげることができ、使用の快適性を高めることができる。
【００１６】
尚、本考案は上記実施の形態例のものに限られず、例えば、容器体１、蓋体３、持手体５、起倒機構６、開閉機構７の形態、配置位置、構造は適宜変更して設計されるものである。
【００１７】
以上の如く、所期の目的を充分達成することができる。
【符号の説明】
【００１８】
Ｈ    水平位置
Ｖ    起立位置
Ｋ    突出部分
Ｔ    持上方向
１    容器体
２    上開口部
３    蓋体
３ｃ    埋入凹部
３ｄ    軸受板
３ｅ    軸受穴
５    持手体
５ａ    軸部
５ｂ    係止部
６    起倒機構
７    開閉機構
【図１】
0003167726.tif 000003
【図２】
0003167726.tif 000004
【図３】
0003167726.tif 000005
【図４】
0003167726.tif 000006
【図５】
0003167726.tif 000007
【図６】
0003167726.tif 000008
【図７】
0003167726.tif 000009
【図８】
0003167726.tif 000010
【図９】
0003167726.tif 000011
【図１０】
0003167726.tif 000012
【図１１】
0003167726.tif 000013